(57)【要約】【課題】スイッチをその都度手動操作することなく、例えばＨＤ画像の動画撮影中又は撮影待機時に、通常画像を静止画の画角で素早く撮影することができるカメラ機器を提供する。【解決手段】カメラ機器は、静止画と動画選択的に撮影可能であり、該画像に対応して撮影時に操作される第１、第２の操作釦21、22と、選択された画像が表示されるディスプレイ3と、ディスプレイ3上の上下端部に画像が表示されない旨の帯30を写す表示処理手段4を具えている。操作釦21、22は、表示処理手段4に繋がる制御手段1に繋がり、該制御手段1はディスプレイ3上に帯30が写された状態で、第２の操作釦22のオートフォーカス状態にて表示処理手段4を作動させて、静止画に対応した画像のアスペクト比に合わせ、ディスプレイ3上の帯30を消去する表示制御機能を有する。【選択図】  図３
2007110178.tif 000002
【特許請求の範囲】
【請求項１】
アスペクト比の異なる少なくとも２種類の画像を選択的に撮影可能であり、該画像に対応して撮影時に操作される複数の操作釦と、選択された画像が表示されるディスプレイと、ディスプレイ上の画像未表示箇所に画像が表示されない旨の情報を写す表示処理手段を具えたカメラ機器に於いて、
操作釦は、表示処理手段に繋がる制御手段に繋がり、該制御手段はディスプレイ上の画像未表示箇所に画像が表示されない旨の情報が写された状態で、前記複数の操作釦のうち何れか１つの操作釦の結像処理状態にて表示処理手段を作動させて、該操作釦に対応した画像のアスペクト比に合わせ、ディスプレイ上の画像が表示されない旨の情報を消去する表示制御機能を有することを特徴とするカメラ機器。
【請求項２】
アスペクト比の異なる２種類の画像は、静止画と動画であり、画像が表示されない旨の情報は、静止画に比して縦が短い動画の撮影時又は撮影待機時に、ディスプレイ上に表示される帯である、請求項１に記載のカメラ機器。
【請求項３】
操作釦の結像処理状態は、オートフォーカスが作動する操作釦の半押し状態である、請求項１又は２に記載のカメラ機器。
【発明の詳細な説明】
【技術分野】
【０００１】
本発明は、静止画と動画を撮影可能なカメラ機器に関し、特にアスペクト比の異なる静止画と動画を撮影できるデジタルカメラに関する。
【背景技術】
【０００２】
アスペクト比(画面の縦横比)が異なる複数の画像を選択的に撮影・表示可能なデジタルカメラが従来から提案されている(特許文献１参照)。これは、図６(a)、(b)、(c)に示すように、使用者によって設定された画素数に応じて、画像をディスプレイ(３)に表示する。使用者がディスプレイ(３)の全ての画素を選択したときは、図６(a)に示すように、ディスプレイ(３)の全領域に画像が表示される。使用者がディスプレイ(３)の縦の画素数を制限したときは、図６(b)に示すように、ディスプレイ(３)の上下端部に半透明の帯(30)が表示され、画像が表示されないことを示す。同様に、使用者がディスプレイ(３)の横の画素数を制限したときは、図６(c)に示すように、ディスプレイ(３)の左右端部に半透明の帯(30)が表示され、画像が表示されないことを示す。これにより、アスペクト比が異なる複数の画像を選択的に表示することができる。
アスペクト比が異なる画像の例として、アスペクト比が４：３の通常画像と、アスペクト比が１６：９のハイディフィニション(ＨＤ、高精細)画像の２つがある。通常画像がディスプレイ(３)の全面に表示されるのであれば、ＨＤ画像を表示する際には、図６(b)に示すように、ディスプレイ(３)の上下端部に半透明の帯(30)が表示される。
図７は、従来のデジタルカメラのキャビネット(２)の背面図である。アスペクト比の設定を変更するには、モード切換え釦(20)を押し、静止画又は動画を撮影するには、動画に対応した第１の操作釦(21)、又は静止画に対応した第２の操作釦(22)を押す。
【０００３】
【特許文献１】特開２００２−３３０３２２号公報
【発明の開示】
【発明が解決しようとする課題】
【０００４】
静止画と動画の両方を選択的に撮影できるデジタルカメラに、静止画と動画夫々のアスペクト比を切換え可能な構成にする場合、静止画又は動画の何れに於いても、ＨＤ画像と通常画像の何れにて撮影するかは、アスペクト比を変更するモード切換え釦(20)を、使用者がその都度手動で操作する必要がある。また、静止画と動画の何れを撮影するかについても、静止画と動画の夫々に対応した操作釦(21)(22)を、その都度手動で操作する必要がある。
このため、例えばＨＤ画像の動画を撮影中に、通常画像の静止画を撮影せんとする場合は、モード切換え釦(20)を操作して静止画に対応したアスペクト比に切り換え、次に静止画に対応した操作釦(22)を操作して静止画撮影に切り換える手間を要する。即ち、ＨＤなどの１６：９の画像の動画を撮影中に、静止画の画角で撮影することに素早く切り換えることはできなかった。
本発明の目的は、スイッチをその都度手動操作することなく、例えばＨＤ画像の動画撮影中又は撮影待機時に、通常画像を静止画の画角で素早く撮影することができるカメラ機器を提供することにある。
【課題を解決するための手段】
【０００５】
カメラ機器は、アスペクト比の異なる少なくとも２種類の画像を選択的に撮影可能であり、該画像に対応して撮影時に操作される複数の操作釦(21)(22)と、選択された画像が表示されるディスプレイ(３)と、ディスプレイ(３)上の画像未表示箇所に画像が表示されない旨の情報を写す表示処理手段(４)を具えている。
操作釦(21)(22)は、表示処理手段(４)に繋がる制御手段(１)に繋がり、該制御手段(１)はディスプレイ(３)上の画像未表示箇所に画像が表示されない旨の情報が写された状態で、前記複数の操作釦のうち何れか１つの操作釦の結像処理状態にて表示処理手段(４)を作動させて、該操作釦(22)に対応した画像のアスペクト比に合わせ、ディスプレイ(３)上の画像が表示されない旨の情報を消去する表示制御機能を有する。
【発明の効果】
【０００６】
アスペクト比の異なる２種類の画像として、通常画像の静止画と該通常画像よりも縦が短いＨＤ動画を例示する。ディスプレイ(３)にＨＤ動画が表示されているときは、ディスプレイ(３)上の上下端部は、画像が未表示の箇所であるから、画像が表示されない旨の情報が写し出される。
この状態で、通常画像の静止画を撮影すべく、静止画に対応した操作釦(22)を操作すると、該操作釦(22)の結像処理状態にて、制御手段(１)は表示処理手段(４)を作動させて、通常画像の静止画に対応したアスペクト比に合わせて画角を設定する。即ち、通常画像の静止画は、ＨＤ動画よりも縦が長いから、表示処理手段(４)は画像が表示されない旨の情報を消去する。これにより、ＨＤ動画の撮影中又は撮影待機中に、通常画像を静止画の画角で容易に且つ素早く撮影することができる。
【発明を実施するための最良の形態】
【０００７】
以下、本発明の一実施例を図を用いて、詳述する。
図１は、本例に係わるデジタルカメラのキャビネット(２)の斜視図であり、図２は、図１をＡ方向から見た背面図である。本例に係わるデジタルカメラは、静止画と動画を選択的に撮影することができる。動画はＨＤ画像と通常画像の両方を選択的に撮影でき、静止画は通常画像のみが撮影できる。前記の如く、ＨＤ画像のアスペクト比は１６：９であり、通常画像のアスペクト比は４：３である。尚、静止画は通常画像のみが撮影できることに限定するものではなく、静止画にあってもＨＤ画像と通常画像の両方を選択的に撮影できるようにすることも可能である。
【０００８】
キャビネット(２)は、前面に周知の如く、対物レンズ(５)を具えるとともに、液晶パネルであるディスプレイ(３)を回転自在に設け、該ディスプレイ(３)の近傍に、撮影する画像のアスペクト比を切り換えるモード切換え釦(20)を設けている。キャビネット(２)の背面には、動画撮影時に操作される第１の操作釦(21)と、静止画撮影時に操作される第２の操作釦(22)が設けられている。ディスプレイ(３)の画面サイズは、通常画像のアスペクト比である４：３に対応しており、該ディスプレイ(３)にアスペクト比が１６：９であるＨＤ画像を写すと、ディスプレイ(３)の上下端部には、画像が映し出されない。従って、この時はディスプレイ(３)の上下端部に、画像が表示されない旨の情報である半透明の黒色の帯(30)(図５参照)が写される。
【０００９】
図３は、本例のデジタルカメラの内部ブロック図である。モード切換え釦(20)と、第１、第２の操作釦(21)(22)は、バスライン(41)に接続される。対物レンズ(５)からの光は、ＣＣＤ(50)上に合焦される。ＣＣＤ(50)は受けた光信号を電気信号である画像信号に変換して出力し、該画像信号はＣＤＳ(相関二重サンプリング)／ＡＧＣ(自動利得制御)回路(51)によりノイズが低減され且つレベルが調整される。画像信号は、Ａ／Ｄコンバータ(52)にてデジタル信号に変換され、デジタル信号処理部(54)にて黒レベルやホワイトバランスが調整された後に、前記バスライン(41)を介してＣＰＵである制御手段(１)に入力する。制御手段(１)は、デジタル信号処理部(54)からの画像信号のコントラストが最大となるように、モータ(53)に通電して対物レンズ(５)を光軸Ｌに沿って移動させる、即ちオートフォーカス動作を行う。オートフォーカス動作に合わせて、オートアイリス、オートホワイトバランス等の動作も行われ、このオートフォーカス、オートアイリス等の動作は、ＣＣＤ(50)に被写体画像を結像させる結像処理動作である。かかる結像処理動作は、操作釦(21)(22)の半押し状態、所謂ハーフシャッタ状態にて実行される。
制御手段(１)は、またタイミングジェネレータ(ＴＧ)(55)を介してＣＣＤ(50)にクロック信号を発して、その電子シャッタ速度を制御する。また、制御手段(１)は、図示しない画像処理用メモリに繋がって、デジタル画像を加工することができる。
【００１０】
デジタル信号処理部(54)からの画像は、静止画／動画生成手段(６)に入力され、制御手段(１)は第１、第２の操作釦(21)(22)からの信号を受けて、静止画と動画の何れを生成するかを静止画／動画生成手段(６)に伝える。静止画／動画生成手段(６)の構成は後記する。静止画／動画生成手段(６)は撮影した画像を、サイズ処理手段(７)に送り、該サイズ処理手段(７)はモード切換え釦(20)、第１、第２の操作釦(21)(22)からの信号に基づき、デジタル画像を所定のアスペクト比に設定する。具体的には、静止画の場合はアスペクト比を４：３に設定し、動画の場合はモード切換え釦(20)からの信号に基づき、アスペクト比を４：３又は１６：９の何れかに設定する。
アスペクト比が設定されたデジタル画像は、前記バスライン(41)を介して表示処理手段(４)に送られ、又は別のバスライン(42)を介してメモリカードである記録媒体(40)に格納される。
【００１１】
図４は、静止画／動画生成手段(６)の内部ブロック図である。静止画／動画生成手段(６)は、静止画用回路(60)と動画用回路(61)を並べて具え、両回路(60)(61)とバスライン(41)の間には、切換えスイッチ(62)が設けられる。制御手段(１)は、第１、第２の操作釦(21)(22)からの信号を受けて、切換えスイッチ(62)を操作して、静止画用回路(60)と動画用回路(61)の何れかにデジタル画像を送る。静止画用回路(60)は、送られてきたデジタル画像にＤＣＴ(Discrete Cosine Transfer)変換を施し、量子化、ハフマン符号化により画像を圧縮してサイズ処理手段(７)、又はバスライン(42)を介して記録媒体(40)に送る。記録媒体(40)からの画像は静止画用回路(60)にてハフマン復号化、逆量子化によって伸長され、逆ＤＣＴ変換を施してサイズ処理手段(７)に出力される。この圧縮・伸長技術には、一般にＪＰＥＧ方式が用いられる。
動画用回路(61)は、上記の静止画用回路(60)に動き補償付き予測(ＭＣ：Motion Compensated prediction)処理を組みあわせて構成される。従って、ＤＣＴ変換、量子化、ハフマン符号化、ハフマン復号化、逆量子化、逆ＤＣＴ変換に係わる構成は、両回路(60)(61)にて共有してもよい。
【００１２】
図３に示す表示処理手段(４)は、サイズ処理手段(７)によってアスペクト比が設定されたデジタル画像を受けて、ディスプレイ(３)に表示されない領域に対して、半透明の帯(30)を重ねる。具体的には、アスペクト比が１６：９であるＨＤ画像の動画をディスプレイ(３)に表示する場合には、ディスプレイ(３)の上下端部に、帯(30)を表示する。アスペクト比が４：３である画像をディスプレイ(３)に表示する場合には、帯(30)を消す。
尚、対物レンズ(５)が被写体を向き、第１、第２の操作釦(21)(22)が押されない場合(撮影待機状態)は、静止画／動画生成手段(６)は作動せず、被写体画像がスルー画像として、ディスプレイ(３)に表示される。但し、サイズ処理手段(７)及び表示処理手段(４)は作動しており、モード切換え釦(20)によってＨＤ画像を撮影する旨が選択されているときは、スルー画像の上下端部に帯(30)が表示される。
【００１３】
(撮影の具体例)
上記の如く、本例に係わるデジタルカメラは、動画はＨＤ画像(アスペクト比が１６：９)と通常画像(アスペクト比が４：３)の両方を選択的に撮影でき、静止画は通常画像のみが撮影できる。静止画を撮影する際には、第２の操作釦(22)を押す。制御手段(１)はアスペクト比が４：３の静止画を撮影する旨を認識し、静止画／動画生成手段(６)は静止画を記録媒体(40)に格納する。ディスプレイ(３)には、帯(30)が表示されない状態で、静止画が表示される。
動画を撮影する際には、モード切換え釦(20)を操作して、アスペクト比を１６：９又は４：３の何れかに設定して、第１の操作釦(21)を押す。制御手段(１)は動画を撮影する旨を認識し、モード切換え釦(20)からアスペクト比が１６：９の動画を撮影することを認識した場合は、サイズ処理手段(７)を作動させて、アスペクト比が１６：９の動画を作成し、表示処理手段(４)を作動させて、ディスプレイ(３)の上下端部に帯(30)を表示する。
制御手段(１)はモード切換え釦(20)からアスペクト比が４：３の動画を撮影することを認識した場合は、表示処理手段(４)を作動させない。従って、ディスプレイ(３)に帯(30)は表示されない。
【００１４】
(動画撮影時の静止画撮影)
前記の如く、動画撮影中又は動画撮影待機時にて、アスペクト比が１６：９の動画を撮影することが選択されていれば、ディスプレイ(３)の上下端部に帯(30)が表示される。本例にあっては、このときに、第２の操作釦(22)を押して、静止画を撮影せんとすると、第２の操作釦(22)の半押し状態、即ちオートフォーカス等が作動した結像処理状態にて、ディスプレイ(３)の上下端部から帯(30)が消去される点に特徴がある。
先ず、アスペクト比が１６：９の動画を撮影することが選択されていれば、動画撮影中又は動画撮影待機時にディスプレイ(３)の上下端部に帯(30)が表示される。この状態で静止画を撮影せんとして、第２の操作釦(22)を押すと、静止画はアスペクト比が４：３であるから、帯(30)を消す必要がある。制御手段(１)は、第２の操作釦(22)の半押し状態で、静止画／動画生成手段(６)の切換えスイッチ(62)を操作して、デジタル画像を静止画用回路(60)に送るとともに、サイズ処理手段(７)を作動させて、アスペクト比を４：３に変更して、表示処理手段(４)を作動させて帯(30)を消す。これにより、動画撮影中又は動画撮影待機時にて、第２の操作釦(22)を全部押し込んだ状態で、被写体を静止画の画角で容易に且つ素早く撮影することができる。
【００１５】
本例にあっては、アスペクト比が１６：９の動画の撮影中、又は撮影待機状態で、アスペクト比が４：３の静止画を撮影する際に、帯(30)を消している。しかし、静止画はアスペクト比が１６：９であってもよく、アスペクト比が１６：９の静止画の撮影中、又は撮影待機状態で、アスペクト比が４：３の動画を撮影する際に、帯(30)を消してもよい。
また、帯(30)を消すのは、第２の操作釦(22)の半押し状態としたが、斯種カメラ機器には、該第２の操作釦(22)上にタッチセンサ(図示せず)を設け、該第２の操作釦(22)に使用者の指が触れた時点で、オートフォーカス等を開始するものがある。かかるカメラ機器にあっては、第２の操作釦(22)に使用者の指が触れた時点で、帯(30)を消してもよい。
【００１６】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
本例ではカメラ機器として、デジタルカメラを例示したが、デジタルカメラに限定されるものではない。
【図面の簡単な説明】
【００１７】
【図１】本例に係わるデジタルカメラの斜視図である。
【図２】図１をＡ方向から見た背面図である。
【図３】本例のデジタルカメラの内部ブロック図である。
【図４】静止画／動画生成手段の内部ブロック図である。
【図５】ディスプレイの正面図である。
【図６】従来のデジタルカメラのディスプレイの正面図である。
【図７】従来のデジタルカメラのキャビネットの背面図である。
【符号の説明】
【００１８】
(１)  制御手段
(３)  ディスプレイ
(４)  表示処理手段
(21)  第１の操作釦
(22)  第２の操作釦
(30)  帯
【図１】
2007110178.tif 000003
【図２】
2007110178.tif 000004
【図３】
2007110178.tif 000005
【図４】
2007110178.tif 000006
【図５】
2007110178.tif 000007
【図６】
2007110178.tif 000008
【図７】
2007110178.tif 000009